(57)【要約】【課題】リモコンボタン操作による消灯操作で、消灯操作が実行されなかったと誤解を与える恐れや、明るさが足りないという恐れを低減することができる照明器具を提供する。【解決手段】色温度の異なるＬＥＤを有する照明器具と、前記複数の色温度の異なるＬＥＤの点灯が可能な点灯ボタンと、前記複数の色温度の異なるＬＥＤの消灯が可能な消灯ボタンと、を有するリモコンと、を有し、前記複数の色温度の異なるＬＥＤが点灯した状態で、前記消灯ボタンを操作すると、前記複数の色温度の異なるＬＥＤのうち複数の色温度の高いＬＥＤが消灯した状態となり、前記消灯ボタンの操作から一定時間後に、前記複数の色温度の異なるＬＥＤが消灯した状態となる。【選択図】図１
2019204724.tif 000002
【特許請求の範囲】
【請求項１】
色温度の異なるＬＥＤを有する照明器具と、
前記複数の色温度の異なるＬＥＤの点灯が可能な点灯ボタンと、前記複数の色温度の異なるＬＥＤの消灯が可能な消灯ボタンと、を有するリモコンと、を有し、
前記複数の色温度の異なるＬＥＤが点灯した状態で、前記消灯ボタンを操作すると、前記複数の色温度の異なるＬＥＤのうち複数の色温度の高いＬＥＤが消灯した状態となり、前記消灯ボタンの操作から一定時間後に、前記複数の色温度の異なるＬＥＤが消灯した状態となることを特徴とする照明器具。
【請求項２】
複数の色温度６５００ＫのＬＥＤと、複数の色温度２７００ＫのＬＥＤと、を有する照明器具と、
前記複数の色温度６５００ＫのＬＥＤと前記複数の色温度２７００ＫのＬＥＤとの点灯が可能な点灯ボタンと、前記複数の色温度６５００ＫのＬＥＤと前記複数の色温度２７００ＫのＬＥＤとの消灯が可能な消灯ボタンと、を有するリモコンと、を有し、
前記複数の色温度６５００ＫのＬＥＤと前記複数の色温度２７００ＫのＬＥＤとが点灯した状態で、前記消灯ボタンを操作すると、前記複数の色温度６５００ＫのＬＥＤのみが消灯した状態となり、前記消灯ボタンの操作から一定時間後に、前記複数の色温度６５００ＫのＬＥＤと前記複数の色温度２７００ＫのＬＥＤとが消灯した状態となることを特徴とする照明器具。
【請求項３】
前記消灯ボタンの操作から一定時間が経過する前に消灯ボタンを操作することで、全ての前記ＬＥＤが消灯することを特徴とするＬＥＤ照明器具。
【発明の詳細な説明】
【技術分野】
【０００１】
本発明は、ＬＥＤ照明器具に関するものである。
【背景技術】
【０００２】
従来、ＬＥＤ照明器具のＬＥＤが点灯している点灯状態からリモコンボタン操作による消灯操作を行うと、点灯しているＬＥＤを消灯する。リモコンボタン操作による消灯操作を行った後、すぐに消灯する仕様のものや、点灯状態を数秒間保持してから消灯する仕様のものや、コンデンサに蓄電された電気を利用して数秒間点灯していたＬＥＤではない常夜灯用ＬＥＤが点灯する仕様のものがある。特許文献１には、光源の明るさを所定時間後に消灯する自動消灯モードを設定する照明装置が記載されている。
【先行技術文献】
【特許文献】
【０００３】
【特許文献１】特開2010-10040号公報
【発明の概要】
【発明が解決しようとする課題】
【０００４】
リモコンボタン操作による消灯操作で、点灯状態を数秒間保持してから消灯する仕様のものは、消灯操作が実行されなかったと誤解を与える恐れがある。コンデンサに蓄電された電気を利用して常夜灯ＬＥＤを点灯する仕様ものは、コスト面などから蓄電容量が小さく、すぐに消灯する仕様のもの同様に明るさが足りない恐れがある。また、コンデンサの場合は、放電による消灯のため、すぐに消灯したい場合でも消灯させることができない恐れがある。
【０００５】
本発明では、リモコンボタン操作による消灯操作で、消灯操作が実行されなかったと誤解を与える恐れや、明るさが足りないという恐れを低減することができるＬＥＤ照明器具を提供することを目的とする。
【課題を解決するための手段】
【０００６】
リモコンボタン操作による消灯操作で、点灯状態から光色を変化させることでボタン操作が実行された確認ができ、なおかつ、変化させた光色をタイマー機能で数秒間点灯することで歩行できる明るさを確保できる。
また、点灯保持中に再度リモコンボタン操作による消灯操作でタイマーを解除することにより、即時に消灯することが可能となる。
【発明の効果】
【０００７】
本発明によれば、リモコンボタン操作による消灯操作で、消灯操作が実行されなかったと誤解を与える恐れや、明るさが足りないという恐れを低減することができるＬＥＤ照明器具を提供することができる。
【図面の簡単な説明】
【０００８】
【図１】本実施例に関するＬＥＤ照明器具の分解斜視図である。
【図２】本実施例に関する赤外線リモコンの外観図である。
【図３】（ａ）本実施例に関する全灯状態のＬＥＤ照明器具を示す外観斜視図である。（ｂ）は、消灯ボタン１３の操作直後のＬＥＤ照明器具を示す外観斜視図である。（ｃ）全てのＬＥＤが消灯した状態のＬＥＤ照明器具を示す外観斜視図である。
【発明を実施するための形態】
【０００９】
以下、本発明の実施例を添付図面に従って説明する。上下方向は、図１に記載した通り紙面上を上方向、紙面下を下方向とする。
【００１０】
図１は本実施例に関するＬＥＤ照明器具の分解斜視図である。ＬＥＤ照明器具１００は、器具本体１と、光源基板４と、透光性樹脂カバー９と、透光カバー１０と、を備える。器具本体１は、鋼板製で環状の皿形状を成し、内周部にカバー受け具２を複数配置し、中央部の配線部品３で天井面の配線部品に固定される。器具本体１の下方向側の面には、板状の光源基板４を配置している。光源基板４は、複数の色温度６５００ＫのＬＥＤ５や複数の色温度２７００ＫのＬＥＤ６を搭載する略円形状の部分と、略円形状の部分から外周方向に一部突出するような凸形状の部分７と、を有する形状である。光源基板４の円形状の部分には、主光源として、複数の色温度６５００ＫのＬＥＤ５と、複数の色温度２７００ＫのＬＥＤ６と、を搭載する。光源基板４の凸形状の部分７には、赤外線リモコンの赤外線受光器８を搭載する。
【００１１】
透光性樹脂カバー９は透明の樹脂部材で成型された器形状の部材であり、光源基板４を下方向から覆うように器具本体１に取付けられる。透光カバー１０は透光性の樹脂部材で成型された部材であり、透光性樹脂カバー９をも覆うように、カバー受け具２によって器具本体１に取付けられる。
【００１２】
図２は本実施例に関する赤外線リモコンの外観図である。赤外線リモコン１１は、少なくとも全灯ボタン１２と消灯ボタン１３を独立し配する。
【００１３】
図３（ａ）は、本実施例に関する全灯状態のＬＥＤ照明器具を示す外観斜視図である。（ｂ）は、消灯ボタン１３の操作直後のＬＥＤ照明器具を示す外観斜視図である。（ｃ）は、全てのＬＥＤが消灯した状態のＬＥＤ照明器具を示す外観斜視図である。
【００１４】
図３（ａ）は、赤外線リモコン１１の全灯ボタン１２の操作により、ＬＥＤ照明器具１００内に位置する、複数の色温度６５００ＫのＬＥＤ５と、複数の色温度２７００ＫのＬＥＤ６の全てが点灯した状態を示している。図３（ｂ）は、消灯ボタン１３の操作により、複数の色温度６５００ＫのＬＥＤ５は消灯し、複数の色温度２７００ＫのＬＥＤ６が点灯を保持している状態を示している。図３（ｃ）は、図３（ｂ）の操作後、一定時間経過後に複数の色温度２７００ＫのＬＥＤ６も消灯し、全てのＬＥＤが消灯した状態を示している。
【００１５】
図３（ａ）のように、全灯ボタン１２を操作し、複数の色温度６５００ＫのＬＥＤ５と、複数の色温度２７００ＫのＬＥＤ６の全てが点灯した状態から、（ｂ）のように消灯ボタン１３を操作すると、一定時間、複数の色温度６５００ＫのＬＥＤ５のみ消灯し、複数の色温度２７００ＫのＬＥＤ６は点灯したままとなる。一定時間経過後、（ｃ）に示すように全てのＬＥＤが消灯した状態となる。一定時間は、タイマー機能により制御する。全灯ボタン１２を操作して複数の色温度６５００ＫのＬＥＤ５と、複数の色温度２７００ＫのＬＥＤ６が点灯する場合も、消灯ボタン１３を操作して複数の色温度２７００ＫのＬＥＤ６のみが点灯する場合も、コンデンサに蓄電された電気を使用するものではなく、商用電源を利用するものである。
【００１６】
本実施例は、以下のようなものである。
【００１７】
色温度の異なるＬＥＤを有するＬＥＤ照明器具と、前記複数の色温度の異なるＬＥＤの点灯が可能な点灯ボタンと、前記複数の色温度の異なるＬＥＤの消灯が可能な消灯ボタンと、を有するリモコンと、を有し、前記複数の色温度の異なるＬＥＤが点灯した状態で、前記消灯ボタンを操作すると、前記複数の色温度の異なるＬＥＤのうち複数の色温度の高いＬＥＤが消灯した状態となり、前記消灯ボタンの操作から一定時間後に、前記複数の色温度の異なるＬＥＤが消灯した状態となることを特徴とするＬＥＤ照明器具。
【００１８】
複数の色温度６５００ＫのＬＥＤと、複数の色温度２７００ＫのＬＥＤと、を有する照明器具と、前記複数の色温度６５００ＫのＬＥＤと前記複数の色温度２７００ＫのＬＥＤとの点灯が可能な点灯ボタンと、前記複数の色温度６５００ＫのＬＥＤと前記複数の色温度２７００ＫのＬＥＤとの消灯が可能な消灯ボタンと、を有するリモコンと、を有し、前記複数の色温度６５００ＫのＬＥＤと前記複数の色温度２７００ＫのＬＥＤとが点灯した状態で、前記消灯ボタンを操作すると、前記複数の色温度６５００ＫのＬＥＤのみが消灯した状態となり、前記消灯ボタンの操作から一定時間後に、前記複数の色温度６５００ＫのＬＥＤと前記複数の色温度２７００ＫのＬＥＤとが消灯した状態となることを特徴とするＬＥＤ照明器具。
【００１９】
また、前記消灯ボタンの操作から一定時間が経過する前に消灯ボタンを操作することで、全ての前記ＬＥＤが消灯することを特徴とするＬＥＤ照明器具
よって、本実施例に関するＬＥＤ照明器具は、全灯状態で消灯ボタンを操作しても、すぐに暗くなるものではないという効果を奏する。
更に、点灯状態を数秒間保持してから消灯する仕様のものに比べて、消灯操作が実行されなかったと誤解を与える恐れを低減した照明器具を提供することができる。更に、コンデンサに蓄電された電気を使用するものに比べて、明るさが足りないという恐れを低減したＬＥＤ照明器具を提供することができる。
なお、消灯ボタン１３を操作し、複数の色温度２７００ＫのＬＥＤ６のみが点灯している一定時間経過する前に、再度消灯ボタン１３を操作することで、一定時間を計測しているタイマー機能を解除し、すぐに消灯することが可能となる制御としてもよい。
【００２０】
また、タイマー機能による保持時間設定や部屋の広さや用途に合わせて、光色・光量を選択可能としてもよい。
【００２１】
なお、色温度６５００ＫのＬＥＤ５や複数の色温度２７００ＫのＬＥＤ６の他に常夜灯ＬＥＤを搭載し、図３（ｃ）に示すように全てのＬＥＤが消灯せずに常夜灯ＬＥＤのみ点灯するような制御としても良い。
【符号の説明】
【００２２】
１      器具本体
４      光源基板
５      色温度６５００ＫのＬＥＤ
６      色温度２７００ＫのＬＥＤ
１１    赤外線リモコン
１２    全灯ボタン
１３    消灯ボタン
１００  照明器具
【図１】
2019204724.tif 000003
【図２】
2019204724.tif 000004
【図３】
2019204724.tif 000005